(57)【要約】【課題】データ信号の書き込み時間を確保しつつ、プリチャージ信号を供給可能とする。【解決手段】第１データ線と走査線との交差に対応して設けられる第１画素と、第２データ線と走査線との交差に対応して設けられる第２画素と、第１期間において、第１データ線を介して第１画素に第１データ信号を供給し、第１期間の終了後に開始される第２期間において、第２データ線を介して第２画素に第２データ信号を供給するデータ信号回路と、第１期間において第２データ線に第１プリチャージ信号を供給した後、第１期間において第２データ線に第２プリチャージ信号を供給するプリチャージ回路と、を備えることを特徴とする電気光学装置。【選択図】図１
2019056730.tif 000002
【特許請求の範囲】
【請求項１】
第１データ線と走査線との交差に対応して設けられる第１画素と、
第２データ線と前記走査線との交差に対応して設けられる第２画素と、
第１期間において、前記第１データ線を介して前記第１画素に第１データ信号を供給し、前記第１期間の終了後に開始される第２期間において、前記第２データ線を介して前記第２画素に第２データ信号を供給するデータ信号回路と、
前記第１期間において前記第２データ線に第１プリチャージ信号を供給した後、前記第１期間において前記第２データ線に第２プリチャージ信号を供給するプリチャージ回路と、
を備えることを特徴とする電気光学装置。
【請求項２】
第３データ線と前記走査線との交差に対応して設けられる第３画素をさらに備え、
前記プリチャージ回路は、
第１供給期間において、前記第２データ線に前記第１プリチャージ信号を供給し、
第２供給期間において、前記第２データ線に前記第２プリチャージ信号を供給し、
第３供給期間において、前記第３データ線に前記第１プリチャージ信号を供給し、
第４供給期間において、前記第３データ線に前記第２プリチャージ信号を供給し、
前記データ信号回路は、
前記第２期間の終了後に開始される第３期間において、前記第３データ線を介して前記第３画素に第３データ信号を供給し、
前記第１供給期間及び前記第２供給期間は、前記第１期間に含まれ、
前記第３供給期間及び前記第４供給期間は、前記第１期間の開始から前記第２期間の終了までの期間に含まれる、
ことを特徴とする請求項１に記載の電気光学装置。
【請求項３】
前記第１供給期間が開始される時刻は、前記第３供給期間が開始される時刻と略等しく、
前記第４供給期間が開始される時刻は、前記第２供給期間が開始される時刻よりも遅い、
ことを特徴とする請求項２に記載の電気光学装置。
【請求項４】
前記第３供給期間が開始される時刻は、前記第１供給期間が開始される時刻よりも遅く、
前記第４供給期間が開始される時刻は、前記第２供給期間が開始される時刻よりも遅い、
ことを特徴とする請求項２に記載の電気光学装置。
【請求項５】
前記第１供給期間が開始されてから前記第２供給期間が開始されるまでの時間長と、前記第３供給期間が開始されてから前記第４供給期間が開始されるまでの時間長とが略等しい、
ことを特徴とする請求項２または４に記載の電気光学装置。
【請求項６】
前記第１期間のうち、前記第２データ線に前記第２プリチャージ信号が供給される期間にわたり、前記第２プリチャージ信号の電位は、前記第１プリチャージ信号に設定される第１電位から、前記第１電位とは異なる第２電位へと変化する、
ことを特徴とする請求項１に記載の電気光学装置。
【請求項７】
前記走査線を含む複数の走査線と、
前記複数の走査線を順次選択する走査線駆動回路と、
をさらに備え、
前記走査線駆動回路は、前記第１期間、前記第２期間、及び前記第３期間を含む水平期間において、前記第１画素、前記第２画素、及び前記第３画素に対応する前記走査線を選択する、
ことを特徴とする請求項２から６のいずれかに記載の電気光学装置。
【請求項８】
請求項１から７のいずれかに記載の電気光学装置を具備する電子機器。
【請求項９】
第１データ線と走査線との交差に対応して設けられる第１画素と、第２データ線と前記走査線との交差に対応して設けられる第２画素と、を備える電気光学装置の駆動方法であって、
第１期間において、前記第１データ線を介して前記第１画素に第１データ信号を供給し、前記第１期間の終了後に開始される第２期間において、前記第２データ線を介して前記第２画素に第２データ信号を供給し、
前記第１期間において、前記第２データ線に第１プリチャージ信号を供給した後、前記第２データ線に第２プリチャージ信号を供給する、
ことを特徴とする電気光学装置の駆動方法。
【発明の詳細な説明】
【技術分野】
【０００１】
本発明は電気光学装置、電気光学装置の駆動方法、及び、電子機器に関する。
【背景技術】
【０００２】
複数の信号線を介して複数の画素にデータ信号を書き込み、書き込まれたデータ信号に応じた階調レベルを各画素に表示させる電気光学装置が従来から提案されている。このような電気光学装置において、表示品質を高めるために各信号線に所定の電位を有するプリチャージ信号を供給することがある（例えば、特許文献１）。
【先行技術文献】
【特許文献】
【０００３】
【特許文献１】特開２０１２−５３４０７号公報
【発明の概要】
【発明が解決しようとする課題】
【０００４】
しかし、複数の信号線の各々について、データ信号の画素への書き込みに先立ってプリチャージ信号を供給する場合、データ信号の書き込み時間が短くなることがあった。
本発明は上述した事情に鑑みてなされたものであり、データ信号の書き込み時間を確保しつつ、プリチャージ信号を供給可能とする技術を提供することを、解決課題の一つとする。
【課題を解決するための手段】
【０００５】
以上の課題を解決するために、本発明に係る電気光学装置の一態様は、第１データ線と走査線との交差に対応して設けられる第１画素と、第２データ線と走査線との交差に対応して設けられる第２画素と、第１期間において、第１データ線を介して第１画素に第１データ信号を供給し、第１期間の終了後に開始される第２期間において、第２データ線を介して第２画素に第２データ信号を供給するデータ信号回路と、第１期間において第２データ線に第１プリチャージ信号を供給した後、第１期間において第２データ線に第２プリチャージ信号を供給するプリチャージ回路と、を備えることを特徴とする。
この電気光学装置の一態様では、第１期間において、プリチャージ信号を供給するための期間が複数のデータ線の各々について設けられる構成と比較して、データ信号の書き込み時間を長く確保できる。したがって、本態様によれば、データ信号の書き込み時間を確保しつつ、プリチャージ信号を供給可能となる。
【０００６】
上述した一態様に係る電気光学装置は、第３データ線と走査線との交差に対応して設けられる第３画素をさらに備え、プリチャージ回路は、第１供給期間において、第２データ線に第１プリチャージ信号を供給し、第２供給期間において、第２データ線に第２プリチャージ信号を供給し、第３供給期間において、第３データ線に第１プリチャージ信号を供給し、第４供給期間において、第３データ線に第２プリチャージ信号を供給し、データ信号回路は、第２期間の終了後に開始される第３期間において、第３データ線を介して第３画素に第３データ信号を供給し、第１供給期間及び第２供給期間は、第１期間に含まれ、第３供給期間及び第４供給期間は、第１期間の開始から第２期間の終了までの期間に含まれる、ことを特徴としてもよい。
この態様によれば、第１期間において、プリチャージ信号を供給するための期間が複数のデータ線の各々について設けられる構成と比較して、データ信号の書き込み時間を長く確保しつつ、プリチャージ信号を供給可能となる。
【０００７】
上述した電気光学装置の第１態様において、第１供給期間が開始される時刻は、第３供給期間が開始される時刻と略等しく、第４供給期間が開始される時刻は、第２供給期間が開始される時刻よりも遅くてもよい。この態様によれば、第２及び第４供給期間が同時刻に開始される構成と比較して、第２プリチャージ信号の供給が開始される際に生じる電位変動の影響を低減し得る。
【０００８】
上述した電気光学装置の第２態様において、第３供給期間が開始される時刻は、第１供給期間が開始される時刻よりも遅く、第４供給期間が開始される時刻は、第２供給期間が開始される時刻よりも遅くてもよい。この態様によれば、第１供給期間及び第３供給期間が同時に開始される構成と比較して、第１プリチャージ信号の供給が開始される際に生じる電位変動の影響を低減し得る。さらに、第２及び第４供給期間が同時刻に開始される構成と比較して、第２プリチャージ信号の供給が開始される際に生じる電位変動の影響を低減し得る。
【０００９】
上述した電気光学装置の第３態様において、第１供給期間が開始されてから第２供給期間が開始されるまでの時間長と、第３供給期間が開始されてから第４供給期間が開始されるまでの時間長とが略等しくてもよい。この態様によれば、第２データ線に第１プリチャージ信号が保持される時間長と、第３データ線に第１プリチャージ信号が保持される時間長とが略等しいため、第１プリチャージ信号を供給することによる効果が、第２及び第３データ線において均一化され得る。
【００１０】
本発明の好適な態様において、第１期間のうち、第２データ線に第２プリチャージ信号が供給される期間にわたり、第２プリチャージ信号の電位は、第１プリチャージ信号に設定される第１電位から、第１電位とは異なる第２電位へと変化してもよい。この態様によれば、プリチャージ信号の電位が第１電位から第２電位へと緩やかに変化するため、急激に変化する場合と比較して、プリチャージ信号の電位変動の影響を低減し得る。
【００１１】
上述した態様に係る電気光学装置は、走査線を含む複数の走査線と、複数の走査線を順次選択する走査線駆動回路と、をさらに備え、走査線駆動回路は、第１期間、第２期間、及び第３期間を含む水平期間において、第１画素、第２画素、及び第３画素に対応する走査線を選択してもよい。この態様によれば、第１期間において、プリチャージ信号を供給するための期間が複数のデータ線の各々について設けられる構成と比較して、データ信号の書き込み時間を長く確保しつつ、プリチャージ信号を供給可能となる。
【００１２】
また、本発明は、上述した電気光学装置の制御方法としても理解され得る。具体的には、本発明は、第１データ線と走査線との交差に対応して設けられる第１画素と、第２データ線と走査線との交差に対応して設けられる第２画素と、を備える電気光学装置の駆動方法であって、第１期間において、第１データ線を介して第１画素に第１データ信号を供給し、第１期間の終了後に開始される第２期間において、第２データ線を介して第２画素に第２データ信号を供給し、第１期間において、第２データ線に第１プリチャージ信号を供給した後、第２データ線に第２プリチャージ信号を供給することを特徴とする電気光学装置の駆動方法としても理解され得る。この態様によれば、第１期間において、プリチャージ信号を供給するための期間が複数のデータ線の各々について設けられる構成と比較して、データ信号の書き込み時間を長く確保しつつ、プリチャージ信号を供給可能となる。
【００１３】
また、本発明に係る電子機器は、上述した電気光学装置のいずれかの態様を備えることを特徴とする。例えば、投射型表示装置（例えばプロジェクター）、パーソナルコンピューター、及びスマートフォンが、このような電子機器の例として該当する。
【図面の簡単な説明】
【００１４】
【図１】本発明の第１実施形態に係る電気光学装置のブロック図である。
【図２】画素回路の回路図である。
【図３】データ信号回路の説明図である。
【図４】プリチャージ回路の説明図である。
【図５】実施形態に係る電気光学装置の動作期間を説明するためのタイミングチャートである。
【図６】第１実施形態に係る電気光学装置の動作を説明するためのタイミングチャートである。
【図７】第１実施形態に係る電気光学装置の動作を説明するためのタイミングチャートである。
【図８】第２実施形態に係る電気光学装置の動作を説明するためのタイミングチャートである。
【図９】第２実施形態に係る電気光学装置の動作を説明するためのタイミングチャートである。
【図１０】第３実施形態に係る電気光学装置の動作を説明するためのタイミングチャートである。
【図１１】第３実施形態に係る電気光学装置の動作を説明するためのタイミングチャートである。
【図１２】変形例に係る電気光学装置の動作を説明するためのタイミングチャートである。
【図１３】電子機器の一例（パーソナルコンピューター）を示す斜視図である。
【図１４】電子機器の一例（携帯電話機）を示す斜視図である。
【図１５】電子機器の一例（投射型表示装置）を示す斜視図である。
【図１６】対比例に係る電気光学装置が表示する画像の説明図である。
【発明を実施するための形態】
【００１５】
以下、本発明を実施するための形態について図面を参照して説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１６】
１．第１実施形態
１．１．電気光学装置１０の構成の概要
図１は、本発明の第１実施形態に係る電気光学装置１０のブロック図である。電気光学装置１０は、画像を表示させる表示装置として様々な電子機器に搭載される液晶装置である。図１に示すように、電気光学装置１０は、複数の画素Ｐｘを備える表示部３０と、各画素Ｐｘを駆動する駆動回路２０と、駆動回路２０を制御する表示制御回路５０と、を備える。
図１に示すように、表示部３０には、V方向に延在するＭ本の走査線３２と、V方向に交差するVI方向に延在するＮ本のデータ線３４とが形成される（Ｍ及びＮは１以上の整数）。図１に示すように、表示部３０に設けられたＮ本のデータ線３４は、Ｇ個の配線群ＬＧ（ＬＧ１〜ＬＧＧ）に区分される（Ｇは１以上の整数）。各配線群ＬＧは、Ｒ本のデータ線３４を含む（Ｇ＝Ｎ／Ｒ。Ｒは２以上の整数）。本実施形態では、Ｒが３である場合を例示して説明する。複数の画素Ｐｘは、走査線３２とデータ線３４との交差に対応して縦Ｍ行×横Ｎ列に配列される。なお、本実施形態において、Ｍ×Ｎ個の交差の全てに対応して画素Ｐｘが設けられる場合を例示して説明するが、Ｍ×Ｎ個の交差の一部に設けられてもよい。
【００１７】
表示制御回路５０は、上位回路（図示略）から供給された画像データＶｉｎ及び同期信号に基づき、駆動回路２０を制御する制御信号Ｃｔを生成して駆動回路２０に供給する。画像データＶｉｎとは、例えば、各画素Ｐｘが表示すべき階調レベルを規定するデータである。表示制御回路５０が生成する制御信号Ｃｔには、垂直走査期間Ｆを規定する垂直同期信号Ｖsyncと、水平走査期間Ｈを規定する水平同期信号Ｈsyncと、各画素Ｐｘの階調レベルを指定する画像信号Ｖｉｄと、後述される各種の選択信号と、が含まれる。
【００１８】
駆動回路２０は、各画素Ｐｘが画像信号Ｖｉｄに応じた階調レベルを表示するよう各画素Ｐｘを駆動する。駆動回路２０は、走査線駆動回路２２と、データ信号回路２４と、プリチャージ回路２６と、を具備する。
走査線駆動回路２２は、第１行〜第Ｍ行の走査線３２に走査信号Ｙ１〜ＹＭを供給する。より具体的には、走査線駆動回路２２は、第ｍ行の走査線３２に走査信号Ｙｍを供給する（ｍは、１≦ｍ≦Ｍを満たす整数）。走査線駆動回路２２は、走査信号Ｙ１〜ＹＭを所定の選択電位Ｖswに順次に設定することで、Ｍ本の走査線３２を順次に選択する。例えば、走査線駆動回路２２は、走査信号Ｙｍに選択電位Ｖswを設定することにより、第ｍ行の走査線３２を選択する。
データ信号回路２４は、各データ線３４を介して、当該データ線３４に対応する画素Ｐｘにデータ信号Ｖｄを供給する。データ信号回路２４は、Ｇ個の配線群ＬＧ１〜ＬＧＧと１対１に対応するＧ個のデマルチプレクサーＤＭｄ１〜ＤＭｄＧと、表示制御回路５０から供給された制御信号Ｃｔに基づいてＧ系統のデータ信号Ｖｄ（Ｖｄ１〜ＶｄＧ）を生成するデータ信号生成回路２４２と、を備える。図１に示すように、Ｇ個のデマルチプレクサーＤＭｄ１〜ＤＭｄＧの各々とデータ信号生成回路２４２とは信号線２４０で接続される。データ信号回路２４は、デマルチプレクサーＤＭｄｇに対応する配線群ＬＧｇに含まれるＲ本（本実施形態では３本）のデータ線３４に、時分割でデータ信号Ｖｄｇを供給する（ｇは、１≦ｇ≦Ｇを満たす整数）。
プリチャージ回路２６は、データ線３４にプリチャージ信号Ｖｐｒを供給する。プリチャージ回路２６は、Ｇ個の配線群ＬＧ１〜ＬＧＧと１対１に対応するＧ個のデマルチプレクサーＤＭｐ１〜ＤＭｐＧを備える。
【００１９】
１．２．電気光学装置１０の構成の詳細
図２は、各画素Ｐｘに対応する画素回路４０の回路図である。図２に示すように、各画素回路４０は、液晶素子ＣＬと、選択スイッチＳｗｃと、容量Ｃｏと、を含む。液晶素子ＣＬは、画素電極４１と、共通電極４２と、画素電極４１及び共通電極４２の間に設けられた液晶４３と、を具備する電気光学素子である。液晶素子ＣＬに（すなわち、画素電極４１及び共通電極４２の間に）電圧が印加されると、印加された電圧の大きさに応じて液晶素子ＣＬの透過率が変化する。各画素Ｐｘは、対応する液晶素子ＣＬの透過率に応じた階調レベルを表示する。
なお、本実施形態では、液晶素子ＣＬに電圧が印加されていない状態において、画素Ｐｘが黒表示（液晶素子ＣＬの透過率が０％）となるノーマリーブラックモードである場合を例示して説明する。
【００２０】
共通電極４２は、一定の電圧Ｖｃｏｍに保たれた容量線３６に電気的に接続され、所定の基準電位Ｖrefに設定される。容量Ｃｏは、一端が容量線３６に電気的に接続され、他端が画素電極４１に電気的に接続される。
選択スイッチＳｗｃは、例えばＮチャネル型のトランジスターであり、画素電極４１とデータ線３４との間に設けられ、両者の電気的な接続（導通または非導通）を制御する。具体的には、選択スイッチＳｗｃのゲートは走査線３２と電気的に接続される。そして、第ｍ行目の走査線３２に供給される走査信号Ｙｍが選択電位Ｖswに設定されると、第ｍ行目の走査線３２に対応する各画素Ｐｘの画素回路４０に設けられた選択スイッチＳｗｃがオン状態となる。選択スイッチＳｗｃがオン状態となると、画素電極４１とデータ線３４とが導通し、画素電極４１における電位がデータ線３４に供給されるデータ信号Ｖｄに応じた電位となる。結果として、液晶４３には当該データ信号Ｖｄに応じた電圧が印加される。このようにして、画素回路４０の液晶素子ＣＬの透過率はデータ信号Ｖｄに応じて変化し、当該画素回路４０に対応する画素Ｐｘは、データ信号Ｖｄに応じた階調レベルを表示する。なお、本明細書において、画素電極４１にデータ信号Ｖｄが供給され、データ信号Ｖｄに応じた電位が設定されることを、画素Ｐｘにデータ信号Ｖｄが書き込まれると表現する場合がある。
【００２１】
図３は、データ信号回路２４を説明するための図である。図示の便宜上、図３では、データ信号回路２４が備えるＧ個のデマルチプレクサーＤＭｄ１〜ＤＭｄＧのうち、ｇ番目のデマルチプレクサーＤＭｄｇの構成例を示す。図３に示されるように、データ信号回路２４には、選択信号ＳＥＬｄ１〜ＳＥＬｄＲが供給されるＲ本の給電線Ｌｄ（Ｌｄ１〜ＬｄＲ）が配されている。データ信号回路２４は、給電線Ｌｄｒに選択信号ＳＥＬｄｒを供給する（ｒは１≦ｒ≦Ｒを満たす整数）。選択信号ＳＥＬｄ１〜ＳＥＬｄＲは、表示制御回路５０から供給される制御信号Ｃｔに含まれる信号である。表示制御回路５０は、選択信号ＳＥＬｄ１〜ＳＥＬｄＲに、順次に所定の選択電位Ｖseldを設定する。上述のように、本実施形態においては、Ｒが３である場合を想定する。
デマルチプレクサーＤＭｄｇは、配線群ＬＧｇに含まれるＲ本（３本）のデータ線３４（３４ｇと称する）と１対１に対応するＲ個のスイッチＳＷｄ（ＳＷｄ１〜ＳＷｄＲ）を含む。Ｒ個のスイッチＳＷｄの各々は、画素回路４０の選択スイッチＳｗｃと同様に、例えばＮチャネル型のトランジスターである。Ｒ個のスイッチＳＷｄのうちのｒ番目のスイッチＳＷｄｒは、Ｒ本のデータ線３４ｇのうちのｒ番目のデータ線３４ｇ（３４ｇ_ｒと称する）と、デマルチプレクサーＤＭｄｇに対応する信号線２４０との間に設けられ、両者の電気的な接続（導通または非導通）を制御する。具体的には、スイッチＳＷｄｒのゲートはｒ番目の給電線Ｌｄｒと電気的に接続される。そして、給電線Ｌｄｒに供給される選択信号ＳＥＬｄｒが選択電位Ｖseldに設定されると、スイッチＳＷｄｒがオン状態となる。デマルチプレクサーＤＭｄｇが有するスイッチＳＷｄｒがオン状態となると、データ線３４ｇ_ｒと信号線２４０とが導通し、データ線３４ｇ_ｒにはデータ信号Ｖｄｇが供給される。このように、選択信号ＳＥＬｄｒが選択電位Ｖseldに設定されると、Ｇ個のデマルチプレクサーＤＭｄ１〜ＤＭｄＧの各々におけるｒ番目のスイッチＳＷｄｒがオン状態となる。
上述のように、デマルチプレクサーＤＭｄｇが有するＲ個のスイッチＳＷｄは順次にオン状態となるため、データ信号回路２４は、Ｒ本のデータ線３４ｇ_１〜３４ｇ_Ｒの各々に時分割でデータ信号Ｖｄｇを供給することとなる。以下では、スイッチＳＷｄｒがオン状態である場合にデータ線３４ｇ_ｒに供給されるデータ信号Ｖｄｇを、データ信号Ｖｄｇ_ｒと称する。データ信号Ｖｄｇ_ｒは、データ線３４ｇ_ｒと、選択されている走査線３２との交差に対応する画素Ｐｘが表示すべき階調レベルを指定する信号である。
【００２２】
図４は、プリチャージ回路２６を説明するための図である。図示の便宜上、図４では、プリチャージ回路２６が備えるＧ個のデマルチプレクサーＤＭｐ１〜ＤＭｐＧのうち、ｇ番目のデマルチプレクサーＤＭｐｇの構成例を示す。図４に示すように、デマルチプレクサーＤＭｐｇは、Ｒ個のスイッチＳＷｐ（ＳＷｐ１〜ＳＷｐＲ）及びＲ個のスイッチＳＷｎ（ＳＷｎ１〜ＳＷｎＲ）を含む。また、プリチャージ回路２６には、正極性プリチャージ信号ＶｐｒＰが供給される正給電線ＬｐｒＰと、負極性プリチャージ信号ＶｐｒＮが供給される負給電線ＬｐｒＮと、選択信号ＳＥＬｐＰ１〜ＳＥＬｐＰＲが供給されるＲ本の給電線ＬｐＰ（ＬｐＰ１〜ＬｐＰＲ）と、選択信号ＳＥＬｐＮ１〜ＳＥＬｐＮＲが供給されるＲ本の給電線ＬｐＮ（ＬｐＮ１〜ＬｐＮＲ）と、が配されている。以下では、正給電線ＬｐｒＰと負給電線ＬｐｒＮとを給電線Ｌｐｒと総称する場合がある。正極性プリチャージ信号ＶｐｒＰ、負極性プリチャージ信号ＶｐｒＮ、選択信号ＳＥＬｐＰ１〜ＳＥＬｐＰＲ、及び選択信号ＳＥＬｐＮ１〜ＳＥＬｐＮＲは、表示制御回路５０から供給される制御信号Ｃｔに含まれる信号である。
【００２３】
本明細書において、「プリチャージ信号Ｖｐｒ」は、正極性プリチャージ信号ＶｐｒＰ及び負極性プリチャージ信号ＶｐｒＮの総称である。また、正極性プリチャージ信号ＶｐｒＰは、後述の第１正極性プリチャージ信号ＶｐｒＰ１及び第２正極性プリチャージ信号ＶｐｒＰ２の総称である。同様に、負極性プリチャージ信号ＶｐｒＮは、後述の第１負極性プリチャージ信号ＶｐｒＮ１及び第２負極性プリチャージ信号ＶｐｒＮ２の総称である。また、以下では、第１正極性プリチャージ信号ＶｐｒＰ１及び第１負極性プリチャージ信号ＶｐｒＮ１を第１プリチャージ信号Ｖｐｒ１と総称し、第２正極性プリチャージ信号ＶｐｒＰ２及び第２負極性プリチャージ信号ＶｐｒＮ２を第２プリチャージ信号Ｖｐｒ２と総称する場合がある。
【００２４】
デマルチプレクサーＤＭｐｇが有するＲ個のスイッチＳＷｐ１〜ＳＷｐＲは、配線群ＬＧｇに含まれるＲ本のデータ線３４ｇ_１〜３４ｇ_Ｒと１対１に対応するよう設けられる。Ｒ個のスイッチＳＷｐの各々は、例えばＮチャネル型のトランジスターである。Ｒ個のスイッチＳＷｐのうちｒ番目のスイッチＳＷｐｒは、データ線３４ｇ_ｒと正給電線ＬｐｒＰと間に設けられ、両者の電気的な接続（導通または非導通）を制御する。具体的には、スイッチＳＷｐｒのゲートは給電線ＬｐＰｒと電気的に接続される。そして、給電線ＬｐＰｒに供給される選択信号ＳＥＬｐＰｒが、表示制御回路５０により所定の正選択電位ＶselpPに設定されると、スイッチＳＷｐｒがオン状態となる。デマルチプレクサーＤＭｐｇが有するスイッチＳＷｐｒがオン状態となると、データ線３４ｇ_ｒと正給電線ＬｐｒＰとが導通し、データ線３４ｇ_ｒには正極性プリチャージ信号ＶｐｒＰが供給される。
このように、選択信号ＳＥＬｐＰｒが正選択電位ＶselpPに設定されると、Ｇ個のデマルチプレクサーＤＭｐ１〜ＤＭｐＧの各々におけるｒ番目のスイッチＳＷｐｒがオン状態となる。
【００２５】
同様に、デマルチプレクサーＤＭｐｇが有するＲ個のスイッチＳＷｎ１〜ＳＷｎＲは、Ｒ本のデータ線３４ｇ_１〜３４ｇ_Ｒと１対１に対応するよう設けられる。Ｒ個のスイッチＳＷｎの各々は、例えばＮチャネル型のトランジスターである。Ｒ個のスイッチＳＷｎのうちｒ番目のスイッチＳＷｎｒは、データ線３４ｇ_ｒと負給電線ＬｐｒＮとの間に設けられ、両者の電気的な接続（導通または非導通）を制御する。具体的には、スイッチＳＷｎｒのゲートは給電線ＬｐＮｒと電気的に接続される。そして、給電線ＬｐＮｒに供給される選択信号ＳＥＬｐＮｒが表示制御回路５０により所定の負選択電位ＶselpNに設定されると、スイッチＳＷｎｒがオン状態となる。デマルチプレクサーＤＭｐｇが有するスイッチＳＷｎｒがオン状態となると、データ線３４ｇ_ｒと負給電線ＬｐｒＮとが導通し、データ線３４ｇ_ｒには負極性プリチャージ信号ＶｐｒＮが供給される。負選択電位ＶselpNは、正選択電位ＶselpPと同じ電位でもよいし、異なる電位でもよい。
このように、選択信号ＳＥＬｐＮｒが負選択電位ＶselpNに設定されると、Ｇ個のデマルチプレクサーＤＭｐ１〜ＤＭｐＧの各々におけるｒ番目のスイッチＳＷｎｒがオン状態となる。
【００２６】
１．３．電気光学装置１０の動作
図５は、電気光学装置１０の動作期間を説明するためのタイミングチャートである。本実施形態において、電気光学装置１０の動作期間は、複数の垂直走査期間Ｆを含む。より詳細には、電気光学装置１０の動作期間は、垂直同期信号Ｖsyncにより複数の垂直走査期間Ｆに区分され、各垂直走査期間Ｆは、水平同期信号ＨsyncによりＭ個の水平走査期間Ｈ（Ｈ１〜ＨＭ）に区分される。図５に示すように、走査線駆動回路２２は、各垂直走査期間Ｆに含まれるＭ個の水平走査期間Ｈのうち、ｍ番目の水平走査期間Ｈｍにおいて、第ｍ行の走査線３２を選択する。より具体的には、走査線駆動回路２２は、水平走査期間Ｈｍにおいて、第ｍ行の走査線３２に供給する走査信号Ｙｍを選択電位Ｖswに設定し、走査信号Ｙｍ以外の走査信号Ｙ１〜Ｙｍ−１及びＹｍ＋１〜ＹＭを選択電位Ｖswとは異なる非選択電位に設定する。なお、本実施形態では選択電位Ｖswが非選択電位よりも高い場合を想定するが、選択電位Ｖswが非選択電位より低くてもよい。
走査線駆動回路２２が第ｍ行の走査線３２を選択すると、第ｍ行に配列されたＮ個の画素Ｐｘの各々が有する選択スイッチＳｗｃがオン状態となり、当該Ｎ個の画素Ｐｘの各々の液晶素子ＣＬには対応するデータ線３４の電位に応じた電圧が印加される。このようにして、第ｍ行に配列された各画素Ｐｘは、対応するデータ線３４の電位に応じた階調レベルを表示する。データ信号回路２４及びプリチャージ回路２６は、走査線駆動回路２２による走査線３２の選択に同期して、Ｎ本のデータ線３４の各々の電位を制御する（すなわち、データ信号Ｖｄ及びプリチャージ信号ＶｐｒをＮ本のデータ線３４の各々に供給する）。
【００２７】
なお、図５に示されるように、本実施形態では、液晶素子ＣＬに印加される電圧の極性が、垂直走査期間Ｆごとに正極性（図５において「＋」と表す）と負極性（図５において「−」と表す）との間で切り換えられるものとする。具体的には、データ信号Ｖｄの電位（データ電位ＶｄLvと称する）が、共通電極４２に設定される基準電位Ｖrefよりも高い場合は正極性であり、データ電位ＶｄLvが基準電位Ｖrefよりも低い場合は負極性である。以下では、データ信号回路２４が基準電位Ｖrefよりも高い電位をデータ信号Ｖｄに設定する場合を、電気光学装置１０が正極性モードで駆動すると表現し、データ信号回路２４が基準電位Ｖrefよりも低い電位をデータ信号Ｖｄに設定する場合を、電気光学装置１０が負極性モードで駆動すると表現する場合がある。
【００２８】
図６及び図７は、本実施形態に係る電気光学装置１０の動作の一例を説明するためのタイミングチャートである。図６は、電気光学装置１０が正極性モードで駆動する場合のタイミングチャートを示し、図７は、電気光学装置１０が負極性モードで駆動する場合のタイミングチャートを示す。図６及び図７では、電気光学装置１０の動作期間のうち、水平走査期間ＨｍからＨｍ＋２における動作を例にとって説明する。
また、以下では、説明の便宜上、一の配線群ＬＧｇに含まれるＲ本（本実施形態では３本）のデータ線３４ｇ（３４ｇ_１、３４ｇ_２、及び３４ｇ_３）に着目して説明する。
【００２９】
本実施形態において、各水平走査期間Ｈは、Ｒ個の選択期間Ｔｍ（Ｔｍ１〜ＴｍＲ）を含む。ｒ番目の選択期間Ｔｍｒは、（ｒ−１）番目の選択期間Ｔｍ（ｒ−１）の終了後に開始される期間である。また、本実施形態において、駆動回路２０は、各水平走査期間Ｈにおいて、配線群ＬＧｇに含まれるＲ本のデータ線３４ｇのうち、Ｑ本のデータ線３４ｇにはプリチャージ信号Ｖｐｒを供給した後にデータ信号Ｖｄを供給し、（Ｒ−Ｑ）本のデータ線３４ｇにはプリチャージ信号Ｖｐｒを供給せずにデータ信号Ｖｄを供給する（Ｑは、１≦Ｑ＜Ｒを満たす整数）。以下では、一の水平走査期間Ｈにおいてプリチャージ信号Ｖｐｒが供給される、プリチャージ対象のデータ線３４を、データ線３４Ｋと称し、当該一の水平走査期間Ｈにおいてプリチャージ信号Ｖｐｒが供給されない、プリチャージ非対象のデータ線３４を、データ線３４Ｎと称する場合がある。換言すると、配線群ＬＧｇに含まれるＲ本のデータ線３４ｇは、Ｑ本のデータ線３４ｇＫと、Ｊ本のデータ線３４ｇＮと、に区分される（Ｊ＝Ｒ−Ｑ）。
【００３０】
データ信号回路２４は、各選択期間Ｔｍにおいて、配線群ＬＧｇに含まれるＲ本のデータ線３４ｇのうちの一のデータ線３４ｇにデータ信号Ｖｄを供給する。より詳細には、データ信号回路２４は、選択期間Ｔｍ１〜ＴｍＪ（すなわち、選択期間Ｔｍ１〜Ｔｍ（Ｒ−Ｑ））において、配線群ＬＧｇに含まれるＪ本のデータ線３４ｇＮにデータ信号Ｖｄを順次に供給する。より具体的には、データ信号回路２４は、選択期間Ｔｍｊにおいて、Ｊ本のデータ線３４ｇＮのうちのｊ番目のデータ線３４ｇＮｊに、データ信号Ｖｄを供給する（ｊは、１≦ｊ≦Ｊを満たす整数）。また、データ信号回路２４は、選択期間Ｔｍ（Ｊ＋１）〜ＴｍＲ（すなわち、選択期間Ｔｍ（Ｒ−Ｑ＋１）〜ＴｍＲ）において、配線群ＬＧｇに含まれるＱ本のデータ線３４ｇＫにデータ信号Ｖｄを順次に供給する。より具体的には、データ信号回路２４は、選択期間Ｔｍ（Ｒ−Ｑ＋ｑ）において、Ｑ本のデータ線３４ｇＫのうちのｑ番目のデータ線３４ｇＫｑに、データ信号Ｖｄを供給する（ｑは、１≦ｑ≦Ｑを満たす整数）。
【００３１】
プリチャージ回路２６は、選択期間Ｔｍ１〜Ｔｍ（Ｒ−１）において、配線群ＬＧｇに含まれるＱ本のデータ線３４ｇＫに第１プリチャージ信号Ｖｐｒ１及び第２プリチャージ信号Ｖｐｒ２を供給する。以下では、データ線３４ｇＫｑに第１プリチャージ信号Ｖｐｒ１が供給される期間を供給期間Ｅｑと称し、データ線３４ｇＫｑに第２プリチャージ信号Ｖｐｒ２が供給される期間を供給期間Ｌｑと称する。
供給期間Ｅｑは、選択期間Ｔｍ１〜Ｔｍ（Ｒ−Ｑ）に含まれる期間であり、供給期間Ｌｑの開始前に終了する。本実施形態では、供給期間Ｅ１〜ＥＱが開始する時刻が略等しい場合を例示して説明する。なお、本明細書において、「略等しい」とは、完全に等しい場合の他に、設計上は等しいが、例えば電気光学装置１０の製造誤差に起因して発生する誤差を考慮すれば等しいとみなせる場合を含む概念である。
供給期間Ｌｑは、選択期間Ｔｍ（Ｒ−Ｑ）〜Ｔｍ（Ｒ−１）に含まれる期間であり、データ線３４ｇＫｑにデータ信号Ｖｄが供給される選択期間Ｔｍ（Ｒ−Ｑ＋ｑ）の開始前に終了する。本実施形態においては、供給期間Ｌｑが選択期間Ｔｍ（Ｒ−Ｑ＋ｑ−１）に含まれる例を説明する。また、本実施形態では、供給期間Ｌｑが開始される開始時刻ｔＬｑが、供給期間Ｌ（ｑ−１）が開始される開始時刻ｔＬ（ｑ−１）よりも遅い場合を例示して説明する。
【００３２】
本実施形態において、各水平走査期間Ｈは、プリチャージ期間Ｐｒ１とプリチャージ期間Ｐｒ２とに区分される。プリチャージ期間Ｐｒ１とは、供給期間Ｅ１〜ＥＱを含む期間であり、プリチャージ期間Ｐｒ２とは、供給期間Ｌ１〜ＬＱを含む期間である。プリチャージ回路２６は、プリチャージ期間Ｐｒ１において給電線Ｌｐｒ（ＬｐｒＰまたはＬｐｒＮ）に第１プリチャージ信号Ｖｐｒ１（ＶｐｒＰ１またはＶｐｒＮ１）を供給し、プリチャージ期間Ｐｒ２において給電線Ｌｐｒに第２プリチャージ信号Ｖｐｒ２（ＶｐｒＰ２またはＶｐｒＮ２）を供給する。
【００３３】
プリチャージ回路２６は、電気光学装置１０が正極性モードで駆動する場合、プリチャージ期間Ｐｒ１のうち選択信号ＳＥＬｐＰｒに正選択電位ＶselpPが設定される期間において、例えば配線群ＬＧｇに含まれるデータ線３４ｇ_ｒに第１正極性プリチャージ信号ＶｐｒＰ１を供給する。また、プリチャージ回路２６は、プリチャージ期間Ｐｒ２のうち選択信号ＳＥＬｐＰｒに正選択電位ＶselpPが設定される期間において、例えば配線群ＬＧｇに含まれるデータ線３４ｇ_ｒに第２正極性プリチャージ信号ＶｐｒＰ２を供給する。
同様に、プリチャージ回路２６は、電気光学装置１０が負極性モードで駆動する場合、プリチャージ期間Ｐｒ１のうち選択信号ＳＥＬｐＮｒに負選択電位ＶselpNが設定される期間において、例えば配線群ＬＧｇに含まれるデータ線３４ｇ_ｒに第１負極性プリチャージ信号ＶｐｒＮ１を供給する。また、プリチャージ回路２６は、プリチャージ期間Ｐｒ２のうち選択信号ＳＥＬｐＮｒに負選択電位ＶselpNが設定される期間において、例えば配線群ＬＧｇに含まれるデータ線３４ｇ_ｒに第２負極性プリチャージ信号ＶｐｒＮ２を供給する。
【００３４】
なお、本実施形態では、Ｒ個の水平走査期間Ｈを１周期として、各データ線３４について、Ｑ回ずつ（Ｑ個の水平走査期間Ｈにおいて）プリチャージ信号Ｖｐｒが供給される。各垂直走査期間Ｆに含まれる水平走査期間Ｈの数である「Ｍ」は、例えば、各垂直走査期間Ｆにおいて各データ線３４に同じ回数ずつプリチャージ信号Ｖｐｒが供給される数（例えば、Ｒの倍数）に設定されるが、他の数に設定されてもよい。
【００３５】
図６及び図７に示すように、本実施形態では、Ｒ＝３、Ｑ＝２の場合を例示して説明する。すなわち、図６及び図７では、配線群ＬＧｇが、２本（Ｑ本）のプリチャージ対象のデータ線３４ｇＫ１及び３４ｇＫ２と、１本（Ｊ本）のプリチャージ非対象のデータ線３４ｇＮ１からなる場合を例示する。また、図６及び図７では、各水平走査期間Ｈが３個（Ｒ個）の選択期間Ｔｍ１〜Ｔｍ３を含む場合を例示する。選択期間Ｔｍ２は選択期間Ｔｍ１の終了後に開始され、選択期間Ｔｍ３は選択期間Ｔｍ２の終了後に開始される。
また、図６及び図７に示す例では、選択期間Ｔｍ１〜ＴｍＪ、すなわち選択期間Ｔｍ１において、配線群ＬＧｇのうち１本（Ｊ本）のデータ線３４ｇＮ１にデータ信号Ｖｄが供給され、選択期間Ｔｍ（Ｊ＋１）〜ＴｍＲ、すなわち選択期間Ｔｍ２〜Ｔｍ３において、配線群ＬＧｇのうち２本（Ｑ本）のデータ線３４ｇＫ１及び３４ｇＫ２にデータ信号Ｖｄが供給される。また、図６及び図７に示す例では、各水平走査期間Ｈにおいて、データ線３４ｇＫ１及び３４ｇＫ２に第１プリチャージ信号Ｖｐｒ１が供給される供給期間Ｅ１及びＥ２が、選択期間Ｔｍ１〜ＴｍＪ、すなわち選択期間Ｔｍ１に含まれ、データ線３４ｇＫ１及び３４ｇＫ２に第２プリチャージ信号Ｖｐｒ２が供給される供給期間Ｌ１及びＬ２が、選択期間ＴｍＪ〜Ｔｍ（Ｒ−１）、すなわち選択期間Ｔｍ１〜Ｔｍ２に含まれる。
なお、図６及び図７では、一例として、供給期間Ｌ１が選択期間Ｔｍ１に含まれ、供給期間Ｌ２が選択期間Ｔｍ２に含まれる場合を想定する。
【００３６】
Ｊ本のデータ線３４ｇＮにデータ信号Ｖｄが供給される選択期間Ｔｍ１〜ＴｍＪのうち、一の選択期間Ｔｍは、「第１期間」の一例である。また、Ｑ本のデータ線３４ｇＫにデータ信号Ｖｄが供給される選択期間Ｔｍ（Ｊ＋１）〜ＴｍＲのうち、選択期間ＴｍＲ以外の一の選択期間Ｔｍは、「第２期間」の一例であり、選択期間Ｔｍ（Ｊ＋１）〜ＴｍＲのうち、一の選択期間Ｔｍの終了後に開始される他の選択期間Ｔｍは、「第３期間」の一例である。すなわち、図６及び図７に示す例では、選択期間Ｔｍ１が「第１期間」の一例であり、選択期間Ｔｍ２が「第２期間」の一例であり、選択期間Ｔｍ３が「第３期間」の一例である。以下では、選択期間Ｔｍ１の開始から、選択期間Ｔｍ２の終了までの期間を、選択期間Ｔｍ１２と称する。
【００３７】
なお、本実施形態では、各水平走査期間Ｈに含まれるＲ個の選択期間Ｔｍ１〜ＴｍＲの時間長が、互いに略等しいとする。すなわち、図６及び図７において、選択期間Ｔｍ１、選択期間Ｔｍ２、及び選択期間Ｔｍ３の時間長が略等しいと想定する。
【００３８】
１．３．１．正極性における動作
以下、図６を参照して、電気光学装置１０が正極性モードで駆動する場合についてまず説明する。
水平走査期間Ｈｍにおいて、走査線駆動回路２２は第ｍ行の走査線３２を選択する。以下では、走査線駆動回路２２により選択された走査線３２と、データ線３４ｇ_１、３４ｇ_２、及び３４ｇ_３の各々と、の交差に対応して設けられる画素Ｐｘを、それぞれ、画素Ｐｘ１、Ｐｘ２、及びＰｘ３、と称する。水平走査期間Ｈｍでは、データ線３４ｇ_１がデータ線３４ｇＮ１であり、データ線３４ｇ_２がデータ線３４ｇＫ１であり、データ線３４ｇ_３がデータ線３４ｇＫ２である。
【００３９】
図６に示すように、水平走査期間Ｈｍの選択期間Ｔｍ１において、選択信号ＳＥＬｄ１が選択電位Ｖseldに設定される。結果として、水平走査期間Ｈｍの選択期間Ｔｍ１において、データ信号回路２４はデータ線３４ｇ_１（「第１データ線」の一例）にデータ信号Ｖｄｇ_１（「第１データ信号」の一例）を供給する。換言すると、データ信号回路２４は、水平走査期間Ｈｍの選択期間Ｔｍ１において、データ線３４ｇ_１を介して画素Ｐｘ１（「第１画素」の一例）にデータ信号Ｖｄｇ_１を供給する。
【００４０】
水平走査期間Ｈｍの選択期間Ｔｍ２においては、選択信号ＳＥＬｄ２が選択電位Ｖseldに設定され、データ信号回路２４はデータ線３４ｇ_２（「第２データ線」の一例）にデータ信号Ｖｄｇ_２（「第２データ信号」の一例）を供給する。換言すると、データ信号回路２４は、水平走査期間Ｈｍの選択期間Ｔｍ２において、データ線３４ｇ_２を介して画素Ｐｘ２（「第２画素」の一例）にデータ信号Ｖｄｇ_２を供給する。
【００４１】
水平走査期間Ｈｍの選択期間Ｔｍ３においては、選択信号ＳＥＬｄ３が選択電位Ｖseldに設定され、データ信号回路２４はデータ線３４ｇ_３（「第３データ線」の一例）にデータ信号Ｖｄｇ_３（「第３データ信号」の一例）を供給する。換言すると、データ信号回路２４は、水平走査期間Ｈｍの選択期間Ｔｍ３において、データ線３４ｇ_３を介して画素Ｐｘ３（「第３画素」の一例）にデータ信号Ｖｄｇ_３を供給する。
【００４２】
上述のように、水平走査期間Ｈｍにおいて、データ線３４ｇ_１はプリチャージ非対象のデータ線３４ｇＮである。このため、水平走査期間Ｈｍにおいて、選択信号ＳＥＬｐＰ１には正選択電位ＶselpPが設定されず、データ線３４ｇ_１には正極性プリチャージ信号ＶｐｒＰが供給されない。
【００４３】
選択信号ＳＥＬｐＰ２は、水平走査期間Ｈｍの選択期間Ｔｍ１に含まれる供給期間Ｅ１（「第１供給期間」の一例）及び供給期間Ｌ１（「第２供給期間」の一例）において、正選択電位ＶselpPに設定される。図６に示すように、正給電線ＬｐｒＰには、供給期間Ｅ１を含むプリチャージ期間Ｐｒ１において第１正極性プリチャージ信号ＶｐｒＰ１が供給され、供給期間Ｌ１を含むプリチャージ期間Ｐｒ２において第２正極性プリチャージ信号ＶｐｒＰ２が供給される。結果として、プリチャージ回路２６は、水平走査期間Ｈｍの選択期間Ｔｍ１においてデータ線３４ｇ_２に第１正極性プリチャージ信号ＶｐｒＰ１（「第１プリチャージ信号」の一例）を供給した後、当該選択期間Ｔｍ１においてデータ線３４ｇ_２に第２正極性プリチャージ信号ＶｐｒＰ２（「第２プリチャージ信号」の一例）を供給する。より詳細には、プリチャージ回路２６は、供給期間Ｅ１においてデータ線３４ｇ_２に第１正極性プリチャージ信号ＶｐｒＰ１を供給し、供給期間Ｌ１においてデータ線３４ｇ_２に第２正極性プリチャージ信号ＶｐｒＰ２を供給する。
【００４４】
なお、本実施形態において、第１正極性プリチャージ信号ＶｐｒＰ１の電位（第１正プリチャージ電位ＶｐｒＰ１Lvと称する。「第１電位」の一例）は、データ信号Ｖｄと反対の極性（図６の例では負極性）に設定される。また、第２正極性プリチャージ信号ＶｐｒＰ２の電位（第２正プリチャージ電位ＶｐｒＰ２Lvと称する。「第２電位」の一例）は、データ信号Ｖｄと同じ極性（図６の例では正極性）に設定される。すなわち、第２正プリチャージ電位ＶｐｒＰ２Lvは、第１正プリチャージ電位ＶｐｒＰ１Lvとは異なる電位である。第２正プリチャージ電位ＶｐｒＰ２Lvは、例えば、データ電位ＶｄLvの振幅中心の電位、または、データ電位ＶｄLvの平均値に設定されてよい。
【００４５】
選択信号ＳＥＬｐＰ３は、水平走査期間Ｈｍにおいて、供給期間Ｅ２（「第３供給期間」の一例）及び供給期間Ｌ２（「第４供給期間」の一例）において正選択電位ＶselpPに設定される。供給期間Ｅ２及び供給期間Ｌ２は、選択期間Ｔｍ１の開始から選択期間Ｔｍ２の終了までの選択期間Ｔｍ１２に含まれる期間である。図６に示すように、供給期間Ｅ２はプリチャージ期間Ｐｒ１に含まれ、供給期間Ｌ２はプリチャージ期間Ｐｒ２に含まれる。結果として、プリチャージ回路２６は、供給期間Ｅ２においてデータ線３４ｇ_３に第１正極性プリチャージ信号ＶｐｒＰ１を供給し、供給期間Ｌ２においてデータ線３４ｇ_３に第２正極性プリチャージ信号ＶｐｒＰ２を供給する。
【００４６】
図６に示すように、本実施形態において、供給期間Ｅ１の開始時刻ｔＥ１は、供給期間Ｅ２の開始時刻ｔＥ２と略等しい。また、供給期間Ｌ２の開始時刻ｔＬ２は、供給期間Ｌ１の開始時刻ｔＬ１よりも遅い。なお、図６では、供給期間Ｌ２の開始時刻ｔＬ２が選択期間Ｔｍ２の開始時刻と略同時刻である例を示すが、この例には限られない。開始時刻ｔＬ２は、供給期間Ｌ２が期間Ｔｍ１２に含まれるのであれば、選択期間Ｔｍ２の開始時刻より遅くてもよい。
また、本実施形態では、供給期間Ｌｑが選択期間Ｔｍ（Ｒ−Ｑ＋ｑ−１）に含まれる場合を例示するが、供給期間Ｌｑが選択期間Ｔｍ（Ｒ−Ｑ＋ｑ）の開始前に終了するのであれば、選択期間Ｔｍ（Ｒ−Ｑ＋ｑ−１）より前の選択期間Ｔｍ（例えば、選択期間Ｔｍ（Ｒ−Ｑ＋ｑ−２））に含まれてもよい。例えば、図６に示す例において、供給期間Ｌ２の開始時刻ｔＬ２は、供給期間Ｌ１の開始時刻ｔＬ１よりも遅いのであれば、選択期間Ｔｍ２の開始時刻より早くてもよい。この場合、供給期間Ｌ２は、選択期間Ｔｍ１及びＴｍ２にまたがってもよい。
【００４７】
次に、水平走査期間Ｈｍ＋１における動作について説明する。水平走査期間Ｈｍ＋１において、走査線駆動回路２２は第（ｍ＋１）行の走査線３２を選択する。水平走査期間Ｈｍ＋１では、データ線３４ｇ_３がデータ線３４ｇＮ１であり、データ線３４ｇ_１がデータ線３４ｇＫ１であり、データ線３４ｇ_２がデータ線３４ｇＫ２である。
【００４８】
水平走査期間Ｈｍ＋１の選択期間Ｔｍ１では、選択信号ＳＥＬｄ３が選択電位Ｖseldに設定される。結果として、水平走査期間Ｈｍ＋１の選択期間Ｔｍ１において、データ信号回路２４はデータ線３４ｇ_３にデータ信号Ｖｄｇ_３を供給する。換言すると、データ信号回路２４は、水平走査期間Ｈｍ＋１の選択期間Ｔｍ１において、データ線３４ｇ_３を介して画素Ｐｘ３にデータ信号Ｖｄｇ_３を供給する。
同様に、水平走査期間Ｈｍ＋１の選択期間Ｔｍ２では、選択信号ＳＥＬｄ１が選択電位Ｖseldに設定され、データ信号回路２４は、水平走査期間Ｈｍ＋１の選択期間Ｔｍ２において、データ線３４ｇ_１を介して画素Ｐｘ１にデータ信号Ｖｄｇ_１を供給する。
水平走査期間Ｈｍ＋１の選択期間Ｔｍ３では、選択信号ＳＥＬｄ２が選択電位Ｖseldに設定され、データ信号回路２４は、水平走査期間Ｈｍ＋１の選択期間Ｔｍ３において、データ線３４ｇ_２を介して画素Ｐｘ２にデータ信号Ｖｄｇ_２を供給する。
【００４９】
なお、水平走査期間Ｈｍ＋１においては、データ線３４ｇ_３が「第１データ線」の一例であり、データ線３４ｇ_１が「第２データ線」の一例であり、データ線３４ｇ_２が「第３データ線」の一例である。また、水平走査期間Ｈｍ＋１においては、データ信号Ｖｄｇ_３が「第１データ信号」の一例であり、データ信号Ｖｄｇ_１が「第２データ信号」の一例であり、データ信号Ｖｄｇ_２が「第３データ信号」の一例である。また、水平走査期間Ｈｍ＋１においては、画素Ｐｘ３が「第１画素」の一例であり、画素Ｐｘ１が「第２画素」の一例であり、画素Ｐｘ２が「第３画素」の一例である。
【００５０】
水平走査期間Ｈｍ＋１において、選択信号ＳＥＬｐＰ３は正選択電位ＶselpPに設定されず、データ線３４ｇ_３には正極性プリチャージ信号ＶｐｒＰが供給されない。
選択信号ＳＥＬｐＰ１は、水平走査期間Ｈｍ＋１の選択期間Ｔｍ１に含まれる供給期間Ｅ１及び供給期間Ｌ１において、正選択電位ＶselpPに設定される。結果として、プリチャージ回路２６は、供給期間Ｅ１においてデータ線３４ｇ_１に第１正極性プリチャージ信号ＶｐｒＰ１を供給し、供給期間Ｌ１においてデータ線３４ｇ_１に第２正極性プリチャージ信号ＶｐｒＰ２を供給する。
選択信号ＳＥＬｐＰ２は、水平走査期間Ｈｍ＋１の選択期間Ｔｍ１２に含まれる供給期間Ｅ２及び供給期間Ｌ２において、正選択電位ＶselpPに設定される。結果として、プリチャージ回路２６は、供給期間Ｅ２においてデータ線３４ｇ_２に第１正極性プリチャージ信号ＶｐｒＰ１を供給し、供給期間Ｌ２においてデータ線３４ｇ_２に第２正極性プリチャージ信号ＶｐｒＰ２を供給する。
【００５１】
次に、水平走査期間Ｈｍ＋２における動作について説明する。水平走査期間Ｈｍ＋２において、走査線駆動回路２２は第（ｍ＋２）行の走査線３２を選択する。水平走査期間Ｈｍ＋２では、データ線３４ｇ_２がデータ線３４ｇＮ１であり、データ線３４ｇ_３がデータ線３４ｇＫ１であり、データ線３４ｇ_１がデータ線３４ｇＫ２である。
【００５２】
水平走査期間Ｈｍ＋２の選択期間Ｔｍ１では、選択信号ＳＥＬｄ２が選択電位Ｖseldに設定される。結果として、水平走査期間Ｈｍ＋２の選択期間Ｔｍ１において、データ信号回路２４はデータ線３４ｇ_２にデータ信号Ｖｄｇ_２を供給する。換言すると、データ信号回路２４は、水平走査期間Ｈｍ＋２の選択期間Ｔｍ１において、データ線３４ｇ_２を介して画素Ｐｘ２にデータ信号Ｖｄｇ_２を供給する。
同様に、水平走査期間Ｈｍ＋２の選択期間Ｔｍ２では、選択信号ＳＥＬｄ３が選択電位Ｖseldに設定され、データ信号回路２４は、水平走査期間Ｈｍ＋２の選択期間Ｔｍ２において、データ線３４ｇ_３を介して画素Ｐｘ３にデータ信号Ｖｄｇ_３を供給する。
水平走査期間Ｈｍ＋２の選択期間Ｔｍ３では、選択信号ＳＥＬｄ１が選択電位Ｖseldに設定され、データ信号回路２４は、水平走査期間Ｈｍ＋２の選択期間Ｔｍ３において、データ線３４ｇ_１を介して画素Ｐｘ１にデータ信号Ｖｄｇ_１を供給する。
【００５３】
なお、水平走査期間Ｈｍ＋２では、データ線３４ｇ_２が「第１データ線」の一例であり、データ線３４ｇ_３が「第２データ線」の一例であり、データ線３４ｇ_１が「第３データ線」の一例である。また、水平走査期間Ｈｍ＋２では、データ信号Ｖｄｇ_２が「第１データ信号」の一例であり、データ信号Ｖｄｇ_３が「第２データ信号」の一例であり、データ信号Ｖｄｇ_１が「第３データ信号」の一例である。また、水平走査期間Ｈｍ＋２では、画素Ｐｘ２が「第１画素」の一例であり、画素Ｐｘ３が「第２画素」の一例であり、画素Ｐｘ１が「第３画素」の一例である。
【００５４】
水平走査期間Ｈｍ＋２において、選択信号ＳＥＬｐＰ２は正選択電位ＶselpPに設定されず、データ線３４ｇ_２には正極性プリチャージ信号ＶｐｒＰが供給されない。
選択信号ＳＥＬｐＰ３は、水平走査期間Ｈｍ＋２の選択期間Ｔｍ１に含まれる供給期間Ｅ１及び供給期間Ｌ１において、正選択電位ＶselpPに設定される。結果として、プリチャージ回路２６は、供給期間Ｅ１においてデータ線３４ｇ_３に第１正極性プリチャージ信号ＶｐｒＰ１を供給し、供給期間Ｌ１においてデータ線３４ｇ_３に第２正極性プリチャージ信号ＶｐｒＰ２を供給する。
選択信号ＳＥＬｐＰ１は、水平走査期間Ｈｍ＋２の選択期間Ｔｍ１２に含まれる供給期間Ｅ２及び供給期間Ｌ２において、正選択電位ＶselpPに設定される。結果として、プリチャージ回路２６は、供給期間Ｅ２においてデータ線３４ｇ_１に第１正極性プリチャージ信号ＶｐｒＰ１を供給し、供給期間Ｌ２においてデータ線３４ｇ_１に第２正極性プリチャージ信号ＶｐｒＰ２を供給する。
【００５５】
以上のように、本実施形態では、３個（Ｒ個）の水平走査期間Ｈｍ〜Ｈｍ＋２を１周期として、３本のデータ線３４ｇ_１〜３４ｇ_３の各々について、２回（Ｑ回）ずつ正極性プリチャージ信号ＶｐｒＰ（ＶｐｒＰ１及びＶｐｒＰ２）が供給される。
なお、本実施形態では、Ｒ＝３、Ｑ＝２である場合を例示して説明したが、本実施形態で例示するＲ及びＱに代入される数は一例であり、他の数が代入されてもよい。例えば、Ｒ＝８、Ｑ＝４としてもよい。この場合、プリチャージ回路２６は、８個の水平走査期間Ｈを１周期として、各データ線３４について４回ずつ（または、４個の水平走査期間Ｈを１周期として、各データ線３４について２回ずつ）プリチャージ信号Ｖｐｒを供給してもよい。
【００５６】
なお、図６に示すように、電気光学装置１０が正極性モードで駆動する場合において、選択信号ＳＥＬｐＮ１〜ＳＥＬｐＮ３に負選択電位ＶselpNは設定されない。
【００５７】
１．３．２．負極性における動作
次に、図７を参照して、電気光学装置１０が負極性モードで駆動する場合と、電気光学装置１０が正極性モードで駆動する場合との相違点について説明する。図７は、選択信号ＳＥＬｐＮ１〜ＳＥＬｐＮ３が、負選択電位ＶselpNに設定され、負極性のプリチャージ信号ＶｐｒＮ（ＶｐｒＮ１及びＶｐｒＮ２）がデータ線３４ｇに供給される点において図６と異なる。すなわち、図７に示す例において、負給電線ＬｐｒＮには、プリチャージ期間Ｐｒ１において第１負極性プリチャージ信号ＶｐｒＮ１が供給され、プリチャージ期間Ｐｒ２において第２負極性プリチャージ信号ＶｐｒＮ２が供給される。
【００５８】
図７に示す例において、プリチャージ回路２６は、供給期間Ｅ１及びＥ２においては第１負極性プリチャージ信号ＶｐｒＮ１（「第１プリチャージ信号」の一例）を供給し、供給期間Ｌ１及びＬ２においては第２負極性プリチャージ信号ＶｐｒＮ２（「第２プリチャージ信号」の一例）を供給する。
より具体的には、水平走査期間Ｈｍの供給期間Ｅ１及びＬ１において、選択信号ＳＥＬｐＮ２は負選択電位ＶselpNに設定される。結果として、プリチャージ回路２６は、水平走査期間Ｈｍの供給期間Ｅ１においてデータ線３４ｇ_２に第１負極性プリチャージ信号ＶｐｒＮ１を供給し、水平走査期間Ｈｍの供給期間Ｌ１においてデータ線３４ｇ_２に第２負極性プリチャージ信号ＶｐｒＮ２を供給する。また、水平走査期間Ｈｍの供給期間Ｅ２及びＬ２において、選択信号ＳＥＬｐＮ３は負選択電位ＶselpNに設定される。結果として、プリチャージ回路２６は、水平走査期間Ｈｍの供給期間Ｅ２においてデータ線３４ｇ_３に第１負極性プリチャージ信号ＶｐｒＮ１を供給し、水平走査期間Ｈｍの供給期間Ｌ２においてデータ線３４ｇ_３に第２負極性プリチャージ信号ＶｐｒＮ２を供給する。
【００５９】
水平走査期間Ｈｍ＋１の供給期間Ｅ１及びＬ１においては、選択信号ＳＥＬｐＮ１が負選択電位ＶselpNに設定される。結果として、プリチャージ回路２６は、水平走査期間Ｈｍ＋１の供給期間Ｅ１においてデータ線３４ｇ_１に第１負極性プリチャージ信号ＶｐｒＮ１を供給し、水平走査期間Ｈｍ＋１の供給期間Ｌ１においてデータ線３４ｇ_１に第２負極性プリチャージ信号ＶｐｒＮ２を供給する。また、水平走査期間Ｈｍ＋１の供給期間Ｅ２及びＬ２において、選択信号ＳＥＬｐＮ２が負選択電位ＶselpNに設定される。結果として、プリチャージ回路２６は、水平走査期間Ｈｍ＋１の供給期間Ｅ２においてデータ線３４ｇ_２に第１負極性プリチャージ信号ＶｐｒＮ１を供給し、水平走査期間Ｈｍ＋１の供給期間Ｌ２においてデータ線３４ｇ_２に第２負極性プリチャージ信号ＶｐｒＮ２を供給する。
【００６０】
水平走査期間Ｈｍ＋２の供給期間Ｅ１及びＬ１においては、選択信号ＳＥＬｐＮ３が負選択電位ＶselpNに設定される。結果として、プリチャージ回路２６は、水平走査期間Ｈｍ＋２の供給期間Ｅ１においてデータ線３４ｇ_３に第１負極性プリチャージ信号ＶｐｒＮ１を供給し、水平走査期間Ｈｍ＋２の供給期間Ｌ１においてデータ線３４ｇ_３に第２負極性プリチャージ信号ＶｐｒＮ２を供給する。また、水平走査期間Ｈｍ＋２の供給期間Ｅ２及びＬ２において、選択信号ＳＥＬｐＮ１が負選択電位ＶselpNに設定される。結果として、プリチャージ回路２６は、水平走査期間Ｈｍ＋２の供給期間Ｅ２においてデータ線３４ｇ_１に第１負極性プリチャージ信号ＶｐｒＮ１を供給し、水平走査期間Ｈｍ＋２の供給期間Ｌ２においてデータ線３４ｇ_１に第２負極性プリチャージ信号ＶｐｒＮ２を供給する。
【００６１】
なお、図７に示すように、本実施形態において、第１負極性プリチャージ信号ＶｐｒＮ１の電位（第１負プリチャージ電位ＶｐｒＮ１Lvと称する。「第１電位」の一例）は、データ信号Ｖｄと反対の極性（図７の例では正極性）に設定される。なお、以下では、第１正プリチャージ電位ＶｐｒＰ１Lv及び第１負プリチャージ電位ＶｐｒＮ１Lvを、第１プリチャージ電位Ｖｐｒ１Lvと総称する場合がある。
また、第２負極性プリチャージ信号ＶｐｒＮ２の電位（第２負プリチャージ電位ＶｐｒＮ２Lvと称する。「第２電位」の一例）は、データ信号Ｖｄと同じ極性（図７の例では負極性）に設定される。すなわち、第２負プリチャージ電位ＶｐｒＮ２Lvは、第１負プリチャージ電位ＶｐｒＮ１Lvとは異なる電位である。第２負プリチャージ電位ＶｐｒＮ２Lvは、例えば、データ電位ＶｄLvの振幅中心の電位、または、データ電位ＶｄLvの平均値に設定されてよい。なお、以下では、第２正プリチャージ電位ＶｐｒＰ２Lv及び第２負プリチャージ電位ＶｐｒＮ２Lvを、第２プリチャージ電位Ｖｐｒ２Lvと総称する場合がある。
【００６２】
なお、図には現れていないが、図６の例ではデータ信号回路２４が正極性のデータ信号Ｖｄをデータ線３４に供給するのに対し、図７の例では、データ信号回路２４は負極性のデータ信号Ｖｄをデータ線３４に供給する。また、図７に示すように、電気光学装置１０が負極性モードで駆動する場合において、選択信号ＳＥＬｐＰ１〜ＳＥＬｐＰ３に正選択電位ＶselpPは設定されない。
【００６３】
１．４．第１実施形態の結論
以上に説明した第１実施形態では、一の水平走査期間Ｈにおいて、一の配線群ＬＧｇに含まれるＲ本のデータ線３４ｇのうち、Ｑ本のデータ線３４ｇについてはデータ信号Ｖｄの供給に先立ってプリチャージ信号Ｖｐｒが供給され、（Ｒ−Ｑ）本のデータ線３４ｇについてはプリチャージ信号Ｖｐｒが供給されない。このため、一の水平走査期間Ｈにおいて、例えばＲ本のデータ線３４ｇの各々にプリチャージ信号Ｖｐｒを供給した後にデータ信号Ｖｄを供給する場合、すなわち、プリチャージ信号Ｖｐｒを供給するための期間が全てのデータ線３４について設けられる場合と比較して、データ信号Ｖｄを画素Ｐｘに書き込む時間を長く確保することができる。したがって、本実施形態によれば、データ信号Ｖｄを画素Ｐｘに書き込む時間を確保しつつ、プリチャージ信号Ｖｐｒを供給することができる。
【００６４】
また、本実施形態によれば、Ｒ個の水平走査期間Ｈを１周期として、各データ線３４についてＱ回ずつプリチャージ信号Ｖｐｒが供給される。すなわち、本実施形態によれば、Ｒ本のデータ線３４が、Ｒ個の水平走査期間Ｈにおいて、例えばＲ回ずつプリチャージ信号Ｖｐｒが供給されるデータ線３４と、１回もプリチャージ信号Ｖｐｒが供給されないデータ線３４と、に区分される場合と比較して、Ｒ個の水平走査期間ＨにわたりＲ本のデータ線３４にプリチャージ信号Ｖｐｒが供給される回数が均一化される。すなわち、本実施形態では、プリチャージ信号Ｖｐｒを供給することによる表示品質への影響が、表示部３０の全体にわたり均一化される。
さらに、本実施形態によれば、各水平走査期間Ｈにおいて、一の配線群ＬＧｇに含まれるＲ本のデータ線３４ｇのうちのＪ本のデータ線３４ｇについてはプリチャージ信号Ｖｐｒが供給されないため、一の配線群ＬＧｇに含まれるＲ本のデータ線３４ｇの全てについてプリチャージ信号Ｖｐｒが供給される場合と比較して、プリチャージに要する消費電力が低減され得る。
【００６５】
また、本実施形態では、第２プリチャージ電位Ｖｐｒ２Lvは、データ電位ＶｄLvと同極性に設定される。このように、データ電位ＶｄLvに近い電位に設定された第２プリチャージ信号Ｖｐｒ２が、データ信号Ｖｄの供給前に画素電極４１に供給される場合、供給されない場合と比較して、画素電極４１の電位と画素Ｐｘに書き込まれる電位（データ電位ＶｄLv）との差分が小さくなる。結果として、第２プリチャージ信号Ｖｐｒ２が供給される場合、供給されない場合と比較して、画素Ｐｘへのデータ信号Ｖｄの書き込みが容易となる。
【００６６】
また、本実施形態によれば、第２プリチャージ信号Ｖｐｒ２の供給期間Ｌｑの開始時刻ｔＬｑが、供給期間Ｌ（ｑ−１）の開始時刻ｔＬ（ｑ−１）よりも遅い。このように、プリチャージ回路２６は、一の配線群ＬＧｇに含まれるＱ本のプリチャージ対象のデータ線３４ｇＫへの第２プリチャージ信号Ｖｐｒ２の供給を互いに異なるタイミングで開始する。このため、供給期間Ｌ１〜ＬＱが同時刻に開始される場合と比較して、第２プリチャージ信号Ｖｐｒ２の供給が開始される際に生じるデータ線３４の電位変動が低減される。すなわち、本実施形態によれば、供給期間Ｌ１〜ＬＱが同時刻に開始される場合と比較して、第２プリチャージ信号Ｖｐｒ２の供給の開始に伴うデータ線３４の電位変動に起因するノイズを低減することが可能となる。
【００６７】
さらに、本実施形態において、データ線３４には、データ信号Ｖｄと反対の極性に設定された第１プリチャージ信号Ｖｐｒ１が供給されるため、第１プリチャージ信号Ｖｐｒ１が供給されない場合と比較して、表示部３０が表示する画像の表示品質の均一性が向上する。以下では、第１プリチャージ信号Ｖｐｒ１を供給することによる効果を説明するために、垂直走査期間Ｆごとにデータ電位ＶｄLvの極性が反転する電気光学装置１０において、第１プリチャージ信号Ｖｐｒ１をデータ線３４に供給しない構成（対比例）を説明する。
【００６８】
図１６は、対比例に係る電気光学装置１０の表示部３０が表示する、灰色の画像を説明するための図である。図１６において、一のデータ線３４に対応する２つの画素ＰｘをＰｘA及びＰｘBと称する。画素ＰｘBは画素ＰｘAに対し、＋VI方向に位置する。画素ＰｘA及び画素ＰｘBには、同じ階調レベルを指定するデータ信号Ｖｄが書き込まれると想定する。
一の垂直走査期間Ｆにおいて、対比例に係る電気光学装置１０が負極性モードで駆動すると想定する。当該一の垂直走査期間Ｆが開始されてから、一の画素Ｐｘに対応する走査線３２が選択されるまで、当該画素Ｐｘが保持する電位の極性とデータ線３４の電位の極性は逆となる。このため、画素Ｐｘが保持する電位とデータ線３４の電位との差分により、当該画素Ｐｘに対応する走査線３２が選択されるまでの時間長に応じて、画素Ｐｘの電位は本来保持すべき電位よりも低くなり、画素Ｐｘは本来表示すべき灰色よりも暗い灰色を表示する。
走査線３２が＋VI方向に向かって順に選択される場合、画素ＰｘBに対応する走査線３２が選択されるまでの時間長は、画素ＰｘAに対応する走査線３２が選択されるまでの時間長よりも長い。すなわち、画素ＰｘBは、画素ＰｘAと比較してより暗い灰色を表示することになる。このように、対比例では、表示部３０が表示する画像のうち、−VI方向側の部分と＋VI方向側の部分とで、表示される階調レベルが異なる。
【００６９】
これに対し、本実施形態では、データ信号Ｖｄと逆極性に設定された第１プリチャージ信号Ｖｐｒ１がデータ線３４に供給される。このため、対比例と比較して、画素ＰｘAについては保持する電位とデータ線３４の電位との差分を増大させ、画素ＰｘBについては保持する電位とデータ線３４の電位との差分を減少させることができる。すなわち、本実施形態によれば、対比例と比較して、画素ＰｘAが表示する階調レベルと画素ＰｘBが表示する階調レベルとの差分を低減することが可能となる。
【００７０】
以上に説明したように、第１プリチャージ信号Ｖｐｒ１及び第２プリチャージ信号Ｖｐｒ２が２段階でデータ線３４に供給されることにより、電気光学装置１０が表示させる画像の表示品質の均一化が可能になると共に、画素Ｐｘへのデータ信号Ｖｄの書き込みが容易となる。結果として、プリチャージ信号Ｖｐｒをデータ線３４に供給しない構成、及び、第１プリチャージ信号Ｖｐｒ１または第２プリチャージ信号Ｖｐｒ２の一方のみをデータ線３４に供給する場合と比較して、電気光学装置１０が表示させる画像の表示品質が向上される。
【００７１】
２．第２実施形態
本発明の第２実施形態を説明する。なお、以下に例示する各態様において、作用または機能が第１実施形態と同様である要素については、以上の説明で参照した符号を流用して詳細な説明を適宜に省略する。
【００７２】
図８及び図９は、第２実施形態に係る電気光学装置１０の動作の一例を説明するためのタイミングチャートである。図８は、電気光学装置１０が正極性モードで駆動する場合のタイミングチャートを示し、図９は、電気光学装置１０が負極性モードで駆動する場合のタイミングチャートを示す。第１実施形態と同様に、各水平走査期間Ｈにおいて、配線群ＬＧｇに含まれるＲ本のデータ線３４ｇは、Ｑ本のプリチャージ対象のデータ線３４ｇＫと、（Ｒ−Ｑ）本のプリチャージ非対象のデータ線３４ｇＮと、に区分される。また、データ信号回路２４は、第１実施形態と同様に、選択期間Ｔｍｊにおいて、データ線３４ｇＮｊにデータ信号Ｖｄを供給し、選択期間Ｔｍ（Ｒ−Ｑ＋ｑ）において、データ線３４ｇＫｑにデータ信号Ｖｄを供給する。
【００７３】
プリチャージ回路２６は、選択期間Ｔｍ１〜Ｔｍ（Ｒ−１）において、配線群ＬＧｇに含まれるＱ本のデータ線３４ｇＫに第１プリチャージ信号Ｖｐｒ１及び第２プリチャージ信号Ｖｐｒ２を供給する点において第１実施形態と同様である。より具体的には、プリチャージ回路２６は、選択期間Ｔｍ１〜Ｔｍ（Ｒ−Ｑ）に含まれる供給期間Ｅ１〜ＥＱにおいて第１プリチャージ信号Ｖｐｒ１を供給し、選択期間Ｔｍ（Ｒ−Ｑ）〜Ｔｍ（Ｒ−１）に含まれる供給期間Ｌ１〜ＬＱにおいて第２プリチャージ信号Ｖｐｒ２を供給する。なお、以下では、供給期間Ｅｑが開始されてから供給期間Ｌｑが開始されるまでの時間長を、間隔期間Ｔｖｑと称する。
【００７４】
第１実施形態では、供給期間Ｅ１〜ＥＱが開始する時刻が略等しい場合を説明した。しかし、第２実施形態においては、供給期間Ｅ１〜ＥＱが開始する時刻が互いに異なる。より具体的には、第２実施形態において、供給期間Ｅｑが開始される開始時刻ｔＥｑは、供給期間Ｅ（ｑ−１）が開始される開始時刻ｔＥ（ｑ−１）よりも遅い。換言すると、本実施形態に係るプリチャージ回路２６は、Ｑ本のデータ線３４ｇＫの各々について、異なるタイミングで第１プリチャージ信号Ｖｐｒ１の供給を開始する。なお、供給期間Ｌ１〜ＬＱが開始する時刻が異なる点は、第１実施形態と同様である。より具体的には、本実施形態においても、供給期間Ｌｑが開始される開始時刻ｔＬｑは、供給期間Ｌ（ｑ−１）が開始される開始時刻ｔＬ（ｑ−１）よりも遅い。
さらに、本実施形態においては、間隔期間Ｔｖ１〜ＴｖＱが、互いに略等しいとする。より具体的には、本実施形態では、供給期間Ｅ（ｑ−１）が開始されてから供給期間Ｌ（ｑ−１）が開始されるまでの間隔期間Ｔｖ（ｑ−１）と、供給期間Ｅｑが開始されてから供給期間Ｌｑが開始されるまで間隔期間Ｔｖｑとが、略等しい場合を例示して説明する。換言すると、本実施形態では、配線群ＬＧｇに含まれるＱ本のデータ線３４ｇＫに第１プリチャージ信号Ｖｐｒ１が保持される時間長が、互いに略等しい。
【００７５】
以下、図８及び図９を参照して、第１実施形態と第２実施形態との相違点について具体的に説明する。なお、本実施形態においても、Ｒ＝３、Ｑ＝２の場合を例示して説明する。すなわち、各水平走査期間Ｈは、３個（Ｒ個）の選択期間Ｔｍ１〜Ｔｍ３を含み、配線群ＬＧｇは、２本（Ｑ本）のプリチャージ対象のデータ線３４ｇＫ１及び３４ｇＫ２と、１本（Ｊ本）のプリチャージ非対象のデータ線３４ｇＮ１からなる。また、供給期間Ｅ１及びＥ２（供給期間Ｅ１〜ＥＱ）は、選択期間Ｔｍ１〜Ｔｍ（Ｒ−Ｑ）、すなわち選択期間Ｔｍ１に含まれる。また、供給期間Ｌ１及びＬ２（供給期間Ｌ１〜ＬＱ）は、選択期間Ｔｍ（Ｒ−Ｑ）〜Ｔｍ（Ｒ−１）、すなわち選択期間Ｔｍ１〜Ｔｍ２に含まれる。また、第１実施形態と同様に、供給期間Ｅ２及び供給期間Ｌ２は、選択期間Ｔｍ１２に含まれる。
【００７６】
図８及び図９に示すように、本実施形態では、第１実施形態と同様に、各水平走査期間Ｈにおいて、供給期間Ｌｑ（すなわち供給期間Ｌ２）の開始時刻ｔＬｑ（すなわち開始時刻ｔＬ２）が供給期間Ｌ（ｑ−１）（すなわち供給期間Ｌ１）の開始時刻ｔＬ（ｑ−１）（すなわち開始時刻ｔＬ１）よりも遅い。さらに、本実施形態では、各水平走査期間Ｈにおいて、供給期間Ｅｑ（すなわち供給期間Ｅ２）の開始時刻ｔＥｑ（すなわち開始時刻ｔＥ２）が、供給期間Ｅ（ｑ−１）（すなわち供給期間Ｅ１）の開始時刻ｔＥ（ｑ−１）（すなわち開始時刻ｔＥ１）よりも遅い。このように、プリチャージ回路２６は、配線群ＬＧｇのうち２本（Ｑ本）のデータ線３４ｇＫの各々について、異なるタイミングで第１プリチャージ信号Ｖｐｒ１の供給を開始する。
なお、第１実施形態と同様に、供給期間Ｅ１は「第１供給期間」の一例であり、供給期間Ｌ１は「第２供給期間」の一例であり、供給期間Ｅ２は「第３供給期間」の一例であり、供給期間Ｌ２は「第４供給期間」の一例である。
【００７７】
また、図８及び図９に示すように、本実施形態では、各水平走査期間Ｈにおいて、間隔期間Ｔｖ（ｑ−１）、すなわち供給期間Ｅ１の開始時刻ｔＥ１から供給期間Ｌ１の開始時刻ｔＬ１までの間隔期間Ｔｖ１と、間隔期間Ｔｖｑ、すなわち供給期間Ｅ２の開始時刻ｔＥ２から供給期間Ｌ２の開始時刻ｔＬ２までの間隔期間Ｔｖ２とが、略等しい。換言すると、例えば水平走査期間Ｈｍにおいて、データ線３４ｇ_２に第１プリチャージ信号Ｖｐｒ１が保持される時間長と、データ線３４ｇ_３に第１プリチャージ信号Ｖｐｒ１が保持される時間長とが、略等しい。
【００７８】
以上に説明した第２実施形態でも、第１実施形態と同様の効果が達成される。さらに、第２実施形態では、供給期間Ｅｑの開始時刻ｔＥｑが、供給期間Ｅ（ｑ−１）の開始時刻ｔＥ（ｑ−１）よりも遅い。このように、第２実施形態では、第１プリチャージ信号Ｖｐｒ１の供給が開始されるタイミングについても、一の配線群ＬＧｇに含まれるＱ本のプリチャージ対象のデータ線３４ｇＫの間で互いに異なる。このため、供給期間Ｅ１〜ＥＱが同時刻に開始される場合（例えば実施形態１）と比較して、本実施形態では、第１プリチャージ信号Ｖｐｒ１の供給の開始に伴うデータ線３４の電位変動に起因するノイズを低減することが可能となる。
【００７９】
３．第３実施形態
本発明の第３実施形態を説明する。図１０及び図１１は、第３実施形態に係る電気光学装置１０の動作の一例を説明するためのタイミングチャートである。図１０は、電気光学装置１０が正極性モードで駆動する場合のタイミングチャートを示し、図１１は、電気光学装置１０が負極性モードで駆動する場合のタイミングチャートを示す。上述の実施形態と同様に、第３実施形態においても、各水平走査期間Ｈにおいて、配線群ＬＧｇに含まれるＲ本のデータ線３４ｇは、Ｑ本のプリチャージ対象のデータ線３４ｇＫと、（Ｒ−Ｑ）本のプリチャージ非対象のデータ線３４ｇＮと、に区分される。また、データ信号回路２４は、上述の実施形態と同様に、選択期間Ｔｍｊにおいて、データ線３４ｇＮｊにデータ信号Ｖｄを供給し、選択期間Ｔｍ（Ｒ−Ｑ＋ｑ）において、データ線３４ｇＫｑにデータ信号Ｖｄを供給する。
【００８０】
上述の実施形態では、プリチャージ回路２６が、選択期間Ｔｍ１〜Ｔｍ（Ｒ−１）において、配線群ＬＧｇに含まれるＱ本のデータ線３４ｇＫに第１プリチャージ信号Ｖｐｒ１及び第２プリチャージ信号Ｖｐｒ２を供給する場合を例示した。しかし、本実施形態において、プリチャージ回路２６は、選択期間Ｔｍ１〜Ｔｍ（Ｒ−Ｑ）において、配線群ＬＧｇに含まれるＱ本のデータ線３４ｇＫに第１プリチャージ信号Ｖｐｒ１及び第２プリチャージ信号Ｖｐｒ２を供給する。すなわち、本実施形態において、供給期間Ｅ１〜ＥＱ及び供給期間Ｌ１〜ＬＱは、選択期間Ｔｍ１〜Ｔｍ（Ｒ−Ｑ）に含まれる。なお、供給期間Ｅｑが供給期間Ｌｑの開始前に終了する点については、上述の実施形態と同様である。
【００８１】
また、本実施形態では、供給期間Ｅ１〜ＥＱが開始する時刻が略等しく、供給期間Ｌ１〜ＬＱが開始する時刻が略等しいと想定する。ただし、本実施形態において、プリチャージ回路２６は、供給期間Ｌｑにわたり、第２プリチャージ信号Ｖｐｒ２に設定する電位を、第１プリチャージ電位Ｖｐｒ１Lvから、第２プリチャージ電位Ｖｐｒ２Lvへと徐々に変化させる。
【００８２】
以下、図１０及び図１１を参照して、第１実施形態と第３実施形態との相違点について具体的に説明する。なお、本実施形態においても、Ｒ＝３、Ｑ＝２の場合を例示して説明する。すなわち、本実施形態において、供給期間Ｅ１及びＥ２（供給期間Ｅ１〜ＥＱ）、並びに、供給期間Ｌ１及びＬ２（供給期間Ｌ１〜ＬＱ）は、選択期間Ｔｍ１〜Ｔｍ（Ｒ−Ｑ）、すなわち選択期間Ｔｍ１に含まれる。
図１０及び図１１に示すように、各水平走査期間Ｈにおいて、第２プリチャージ信号Ｖｐｒ２の電位は、選択期間Ｔｍ１のうち供給期間Ｌｑにわたり、第１プリチャージ電位Ｖｐｒ１Lv（ＶｐｒＰ１LvまたはＶｐｒＮ１Lv）から第２プリチャージ電位Ｖｐｒ２Lv（ＶｐｒＰ２LvまたはＶｐｒＮ２Lv）へと変化する。
【００８３】
なお、図１０及び図１１では、第２プリチャージ信号Ｖｐｒ２に設定される電位が直線的に変化する例を示すが、曲線的に（例えば指数関数的に）変化してもよい。また、図１０及び図１１では、第２プリチャージ信号Ｖｐｒ２に設定される電位が、供給期間Ｌ１の終了時刻ｔＬ１ｂ及び供給期間Ｌ２の終了時刻ｔＬ２ｂよりも前に第２プリチャージ電位Ｖｐｒ２Lvへ到達する例を示すが、終了時刻ｔＬ１ｂ及び終了時刻ｔＬ２ｂのいずれか早い方までに到達すればよい。
【００８４】
また、本実施形態では、供給期間Ｅ１〜ＥＱが開始する時刻が略等しいと想定したが、供給期間Ｅ１〜ＥＱが開始する時刻は互いに異なってもよい。例えば、図１０及び図１１では、供給期間Ｅ１の開始時刻ｔＥ１と供給期間Ｅ２の開始時刻ｔＥ２とが略同時刻である例を示すが、開始時刻ｔＥ２は開始時刻ｔＥ１より遅くてもよい。
【００８５】
以上に説明した第３実施形態でも、第１実施形態と同様の効果が達成される。より具体的には、第３実施形態では、第２プリチャージ信号Ｖｐｒ２の電位が、第１プリチャージ電位Ｖｐｒ１Lvから第２プリチャージ電位Ｖｐｒ２Lvへと、供給期間Ｌｑにわたり変化する。このため、たとえ供給期間Ｌ１〜ＬＱの開始時刻が略同時刻であったとしても、第２プリチャージ信号Ｖｐｒ２の供給の開始に伴うデータ線３４の電位変動に起因するノイズを低減することが可能となる。
【００８６】
４．変形例
以上の形態は多様に変形され得る。具体的な変形の態様を以下に例示する。以上の実施形態及び以下の例示から任意に選択された２以上の態様は、相互に矛盾しない範囲内で適宜に併合され得る。なお、以下に例示する変形例において作用または機能が実施形態と同等である要素については、以上の説明で参照した符号を流用して各々の詳細な説明を適宜に省略する。
【００８７】
上述した実施形態においては、配線群ＬＧｇに含まれるＲ本のデータ線３４ｇにデータ信号Ｖｄが供給される時間長が互いに略等しい場合を例示したが、異なってもよい。より具体的には、上述した実施形態及び変形例においては、各水平走査期間Ｈに含まれるＲ個の選択期間Ｔｍ１〜ＴｍＲの時間長が、互いに略等しいと想定したが、互いに異なっていてもよい。例えば、図１２に示すように、選択期間Ｔｍｊの時間長が、選択期間Ｔｍ（Ｒ−Ｑ＋ｑ）の時間長よりも長く設定されてもよい。
【００８８】
５．応用例
以上の各形態に例示した電気光学装置１０は、各種の電気機器に利用され得る。図１３から図１５に、電気光学装置１０を採用した電子機器の具体的な形態を例示する。
【００８９】
図１３は、電気光学装置１０を適用した可搬型のパーソナルコンピューター２０００の斜視図である。パーソナルコンピューター２０００は、各種の画像を表示する電気光学装置１０と、電源スイッチ２００１及びキーボード２００２を含むユーザーインターフェースが設けられた本体部２０１０と、を具備する。
【００９０】
図１４は、電気光学装置１０を適用した携帯電話機３０００の斜視図である。携帯電話機３０００は、各種の画像を表示する電気光学装置１０と、複数の操作ボタン３００１及びスクロールボタン３００２を含むユーザーインターフェースと、を具備する。利用者がスクロールボタン３００２を操作することによって、電気光学装置１０に表示される画面がスクロールされる。
【００９１】
図１５は、電気光学装置１０を適用した投射型表示装置（例えば、３板式のプロジェクター）４０００の模式図である。投射型表示装置４０００は、赤色、緑色、青色の３色に対応する３個の電気光学装置１０（１０Ｒ、１０Ｇ、及び１０Ｂ）を含んで構成される。照明光学系４００１は、光源４００２からの出射光のうち赤色成分ｒを電気光学装置１０Ｒに供給し、緑色成分ｇを電気光学装置１０Ｇに供給し、青色成分ｂを電気光学装置１０Ｂに供給する。各電気光学装置１０は、照明光学系４００１から供給される、対応する色成分の光を表示画像に応じて変調する光変調器として機能する。投射光学系４００３は、各電気光学装置１０からの出射光を合成して投射面４００４に投射する。
【００９２】
なお、本発明に係る電気光学装置１０が適用される電子機器は、以上の例に限定されない。電気光学装置１０は、スマートフォン、携帯情報端末（ＰＤＡ：Personal Digital Assistants）、デジタルスチルカメラ、テレビ、ビデオカメラ、カーナビゲーション装置、車載用の表示器、電子手帳、電子ペーパー、電卓、ワードプロセッサー、テレビ電話、ＰＯＳ端末、プリンター、スキャナー、複写機、ビデオプレーヤー、タッチパネルを備えた機器等の電子機器に適用されてもよい。
【００９３】
以上の説明から理解されるように、本発明は、電気光学装置１０としても、電気光学装置１０の制御方法としても、電気光学装置１０を具備する電子機器としても理解され得る。
【符号の説明】
【００９４】
１０…電気光学装置、２０…駆動回路、２２…走査線駆動回路、２４…データ信号回路、２６…プリチャージ回路、３０…表示部、３２…走査線、３４…データ線、５０…表示制御回路、ＣＬ…液晶素子、Ｅ１〜ＥＱ…供給期間、Ｌ１〜ＬＱ…供給期間、Ｐｘ…画素、Ｔｍ…選択期間、Ｖｄ…データ信号、Ｖｐｒ…プリチャージ信号、Ｙｍ…走査信号。
【図１】
2019056730.tif 000003
【図２】
2019056730.tif 000004
【図３】
2019056730.tif 000005
【図４】
2019056730.tif 000006
【図５】
2019056730.tif 000007
【図６】
2019056730.tif 000008
【図７】
2019056730.tif 000009
【図８】
2019056730.tif 000010
【図９】
2019056730.tif 000011
【図１０】
2019056730.tif 000012
【図１１】
2019056730.tif 000013
【図１２】
2019056730.tif 000014
【図１３】
2019056730.tif 000015
【図１４】
2019056730.tif 000016
【図１５】
2019056730.tif 000017
【図１６】
2019056730.tif 000018